(57)【要約】【課題】本発明は、コンパクトにして機材を台車に載置して容易に移動できると共に量水器の取付手段に関係なく使用できる移動式給水管オゾン殺菌洗浄装置を提供する。【解決手段】移動式給水管オゾン殺菌洗浄装置１０の台車１２には電気分解式オゾン水生成器１４と圧縮空気投入器１６とコンプレッサー１８が載置されている。電気分解式オゾン水生成器１４には第１バイパスホース２０の一端部と第２バイパスホース２２の一端部が接続されている。圧縮空気投入器１６とコンプレッサー１８は空気用連結ホース２８によって接続されている。圧縮空気投入器１６と第２バイパスホース２２は圧縮空気投入ホース３２によって接続されている。移動式給水管オゾン殺菌洗浄装置１０の管継手３４の管継手本体３６には第１バイパスホース２０の他端部が接続される第１管継手部４０と第２バイパスホース２２の他端部が接続される第２管継手部４２が形成されている。【選択図】図１
2011098311.tif 000002
【特許請求の範囲】
【請求項１】
給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続する空気用連結ホースと、前記圧縮空気投入器と前記第２バイパスホースを接続する圧縮空気投入ホースと、前記第１バイパスホースの他端部が接続された第１継手管部と第２バイパスホースの他端部が接続された第２継手管部がそれぞれ設けられた管継手と、を有してなることを特徴とする移動式給水管オゾン殺菌洗浄装置。
【請求項２】
給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続してコンプレッサーで作られた圧縮空気を圧縮空気投入器に送る空気用連結ホースと、前記圧縮空気投入器に一端部が接続されると共に他端部が前記第２バイパスホースに接続された圧縮空気投入ホースと、前記第１バイパスホースの他端部が接続された第１継手管部と第２バイパスホースの他端部が接続された第２継手管部がそれぞれ設けられた管継手と、を有してなることを特徴とする移動式給水管オゾン殺菌洗浄装置。
【請求項３】
給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続してコンプレッサーで作られた圧縮空気を圧縮空気投入器に送る空気用連結ホースと、前記圧縮空気投入器に一端部が接続されると共に他端部が前記第２バイパスホースに接続された圧縮空気投入ホースと、前記第１バイパスホースの他端部及び第２バイパスホースの他端部が接続された管継手と、この管継手に設けられると共に前記第１バイパスホースの他端部が接続された第１継手管部と、前記管継手に設けられると共に前記第２バイパスホースの他端部が接続された第２継手管部と、前記第１継手管部の一端部に設けられたネジ部と、前記第２継手管部の一端部に設けられたネジ部と、を有してなることを特徴とする移動式給水管オゾン殺菌洗浄装置。
【請求項４】
給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続してコンプレッサーで作られた圧縮空気を圧縮空気投入器に送る空気用連結ホースと、前記圧縮空気投入器を制御する携帯コントローラーと、前記圧縮空気投入器に一端部が接続されると共に他端部が前記空気取入管部に接続された圧縮空気投入ホースと、前記第１バイパスホースの他端部及び第２バイパスホースの他端部が接続された管継手と、この管継手に設けられると共に前記第１バイパスホースの他端部が接続された第１継手管部と、前記管継手に設けられると共に前記第２バイパスホースの他端部が接続された第２継手管部と、前記第１継手管部の一端部に設けられたネジ部と、前記第２継手管部の一端部に設けられたネジ部と、を有してなることを特徴とする移動式給水管オゾン殺菌洗浄装置。
【請求項５】
前記空気投入器はパルス化して断続的に圧縮空気を第２バイパスホースに投入できるようにしたことを特徴とする請求項１乃至請求項４の移動式給水管オゾン殺菌洗浄装置。
【発明の詳細な説明】
【技術分野】
【０００１】
本発明は、給水管を殺菌、洗浄することができると共にコンパクトで容易に移動できる移動式給水管オゾン殺菌洗浄装置に関する。
【背景技術】
【０００２】
建物等に配設されている給水管の内部には給水管の長期使用により錆、こぶ、スライムと呼ばれるバクテリアの汚れや水垢等が発生し、何も対策を施さないでいると時間の経過に伴って給水管の内部は不衛生になると共に給水管の詰まりや漏水事故等の一因となることが知られている。
このため、前記給水管内部の錆、こぶ、スライム等を殺菌、除去する給水管オゾン殺菌洗浄装置が提案されている（特許文献１）。
しかし、従来の給水管オゾン殺菌洗浄装置は殺菌洗浄作業を行う場合に建物の外に給水管オゾン殺菌洗浄装置を配設して給水管の殺菌、洗浄を行うためオゾンガス発生器、酸素ボンベ、水タンク等の大型の機材を多く備えている。
この結果、マンション等の集合住宅の各住戸の給水管の殺菌洗浄作業を行う場合は大型の機材を多く備えている前記給水管オゾン殺菌洗浄装置をマンション内に搬入して各住戸間を移動することは極めて困難であるため、マンションの外に配設した給水管オゾン殺菌洗浄装置に長い第１バイパスホース、第２バイパスホースを接続して各住戸の給水管を殺菌、洗浄しなければならず準備作業や作業自体が極めて煩雑になると共に手間がかかり作業効率が極めて悪い。
また、前記給水管オゾン殺菌洗浄装置を使用して給水管の殺菌、洗浄を行う場合は、最初に上水管と給水管の間に配設されている量水器を一旦取り外し、給水管オゾン殺菌洗浄装置の第１バイパスホースの先端部を上水管の一端部と連結し、第２バイパスホースの先端部を給水管の一端部と連結してセッティングする。
そして、給水管オゾン殺菌洗浄装置を稼動させて酸素ボンベからオゾン発生器に酸素を供給してオゾンガス発生器で酸素をオゾンガスに変換し、オゾンガス発生器で発生したオゾンガスをミキサー（オゾン溶解器）に送ってオゾンガスを第１バイパスホースから流れてきた水道水と混ぜてオゾン水を製造して第２バイパスホースから給水管に送って給水管の内部を殺菌、洗浄している。
しかし、前記給水管オゾン殺菌洗浄装置は上述したように酸素ボンベやミキサーや水タンクを必要としているため、重くて嵩張る酸素ボンベ、ミキサー、水タンク等の大型の機材の取り扱いについては大きな労力と注意力が必要である。
また、第１バイパスホースの先端部と第２バイパスホースの先端部とは互いに別々であるため上水管、給水管との取付手段がネジ込みタイプの量水器の場合は量水器を取り外した後に第１バイパスホースの先端部のネジ部と上水管の一端に設けられている上水管側ナットを連結し、第２バイパスホースの先端部のネジ部と給水管の一端に設けられている給水管側ナットを連結して第１バイパスホースの先端部と第２バイパスホースの先端部をそれぞれ連結することができる。
しかし、取付手段が可動式圧着口が左右方向に移動して量水器を圧着したり緩めたりするユニットタイプの量水器においては第１バイパスホースの先端部と第２バイパスホースの先端部とが別々であるためユニットタイプの量水器を取り外した後に第１バイパスホースの先端部と第２バイパスホースの先端部を取り付けることは困難である。
【先行技術文献】
【特許文献】
【０００３】
【特許文献１】特開２００２−２４２２５３号公報
【発明の概要】
【発明が解決しようとする課題】
【０００４】
本発明は、上記事実に鑑みなされたものであり、装置をコンパクトにして機材を台車に載置することにより容易に移動可能にし、さらに量水器の取付手段に関係なく使用することができる移動式給水管オゾン殺菌洗浄装置を提供するものである。
【課題を解決するための手段】
【０００５】
請求項１の発明は、給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続する空気用連結ホースと、前記圧縮空気投入器と前記第２バイパスホースを接続する圧縮空気投入ホースと、前記第１バイパスホースの他端部が接続された第１継手管部と第２バイパスホースの他端部が接続された第２継手管部がそれぞれ設けられた管継手と、を有してなることを特徴としている。
請求項２の発明は、給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続してコンプレッサーで作られた圧縮空気を圧縮空気投入器に送る空気用連結ホースと、前記圧縮空気投入器に一端部が接続されると共に他端部が前記第２バイパスホースに接続された圧縮空気投入ホースと、前記第１バイパスホースの他端部が接続された第１継手管部と第２バイパスホースの他端部が接続された第２継手管部がそれぞれ設けられた管継手と、を有してなることを特徴としている。
請求項３の発明は、給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続してコンプレッサーで作られた圧縮空気を圧縮空気投入器に送る空気用連結ホースと、前記圧縮空気投入器に一端部が接続されると共に他端部が前記第２バイパスホースに接続された圧縮空気投入ホースと、前記第１バイパスホースの他端部及び第２バイパスホースの他端部が接続された管継手と、この管継手に設けられると共に前記第１バイパスホースの他端部が接続された第１継手管部と、前記管継手に設けられると共に前記第２バイパスホースの他端部が接続された第２継手管部と、前記第１継手管部の一端部に設けられたネジ部と、前記第２継手管部の一端部に設けられたネジ部と、を有してなることを特徴としている。
請求項４の発明は、給水管をオゾン水で殺菌洗浄する移動式給水管オゾン殺菌洗浄装置であって、台車に載置された電気分解式オゾン水生成器、圧縮空気投入器、コンプレッサーと、前記電気分解式オゾン水生成器に一端部が接続された第１バイパスホースと、前記電気分解式オゾン水生成器に一端部が接続された第２バイパスホースと、前記圧縮空気投入器と前記コンプレッサーを接続してコンプレッサーで作られた圧縮空気を圧縮空気投入器に送る空気用連結ホースと、前記圧縮空気投入器を制御する携帯コントローラーと、前記圧縮空気投入器に一端部が接続されると共に他端部が前記空気取入管部に接続された圧縮空気投入ホースと、前記第１バイパスホースの他端部及び第２バイパスホースの他端部が接続された管継手と、この管継手に設けられると共に前記第１バイパスホースの他端部が接続された第１継手管部と、前記管継手に設けられると共に前記第２バイパスホースの他端部が接続された第２継手管部と、前記第１継手管部の一端部に設けられたネジ部と、前記第２継手管部の一端部に設けられたネジ部と、を有してなることを特徴としている。
請求項５の発明は、前記空気投入器はパルス化して断続的に圧縮空気を第２バイパスホースに投入できるようにしたことを特徴としている。
【発明の効果】
【０００６】
本発明の移動式給水管オゾン殺菌洗浄装置は、酸素ボンベ、ミキサー、水タンク等を排除して装置をコンパクトにすると共に機材を台車に載置することにより容易に移動できるため集合住宅等の各住戸の給水管の殺菌洗浄作業も容易かつ効率的に行うことができるという優れた効果を有する。
本発明の移動式給水管オゾン殺菌洗浄装置は、コンパクトであるので狭いスペースでも配設できると共に装置のコストを抑えることができるという優れた効果を有する。
また、本発明の移動式給水管オゾン殺菌洗浄装置は、第１バイパスホース及び第２バイパスホースの他端部は管継手に接続されているので取付手段が異なる量水器への取り付けが可能になることで、汎用性が増加するという優れた効果を有する。
また、請求項４の移動式給水管オゾン殺菌洗浄装置は、圧縮空気投入器を遠隔操作できるため、作業者が離れたところから圧縮空気投入器を制御できるので作業効率を向上させることができるという優れた効果を有する。
【図面の簡単な説明】
【０００７】
【図１】実施例の移動式給水管オゾン殺菌洗浄装置の概略全体斜視図である。
【図２】実施例の移動式給水管オゾン殺菌洗浄装置に使用される連結管部の正面図である。
【図３】実施例の移動式給水管オゾン殺菌洗浄装置の管継手付近の拡大斜視図である。
【図４】実施例の移動式給水管オゾン殺菌洗浄装置の管継手の拡大斜視図である。
【図５】実施例の移動式給水管オゾン殺菌洗浄装置の管継手付近の拡大斜視図である。
【図６】上水管と給水管の間に取り付けられた量水器の斜視図である。
【発明を実施するための形態】
【０００８】
発明を実施するために最良の形態の例として以下のような実施例を示す。
【実施例１】
【０００９】
図１〜図５には本発明に係る移動式給水管オゾン殺菌洗浄装置の一実施例が示されている。
図１には本発明の移動式給水管オゾン殺菌洗浄装置１０の概略全体斜視図が示されている。この移動式給水管オゾン殺菌洗浄装置１０の台車１２の下棚１２Ａには電気分解式オゾン水生成器１４と圧縮空気投入器１６が並んで載置されている。また、前記台車１２の上棚１２Ｂにはコンプレッサー１８が載置されている。前記台車１２の下部には車輪１２Ｃが設けられ容易に移動することができるようになっている。
前記電気分解式オゾン水生成器１４には第１バイパスホース２０の一端部が接続され、上水管１、第１バイパスホース２０から流れてきた水道水を前記電気分解式オゾン水生成器１４によってオゾン水に生成することができるようになっている。また、前記電気分解式オゾン水生成器１４には第２バイパスホース２２の一端部が接続され、前記電気分解式オゾン水生成器１４で生成されたオゾン水を給水管２に送ることができるようになっている。
前記第２バイパスホース２２の中間部にはステンレス等の錆びにくい材料で形成された連結管部２４が取り付けられている。この連結管部２４の中間部には空気取入管部２６が突設されている。なお、この実施例では前記連結管部２４は台車１２の正面に吊り下げられた状態で取り付けられている。
前記圧縮空気投入器１６と前記コンプレッサー１８は空気用連結ホース２８によって接続されている。従って、コンプレッサー１８で作られた圧縮空気は空気用連結ホース２８を介して圧縮空気投入器１６に送られるようになっている。
前記圧縮空気投入器１６はパルス化して断続的に圧縮空気を前記第２バイパスホース２２に投入する機能を備えている。
前記圧縮空気投入器１６の電源制御は作業者が携帯する携帯コントローラー３０によってリモートコントロール制御されるようになっている。従って、作業者は前記移動式給水管オゾン殺菌洗浄装置１０から離れた場所（殺菌洗浄作業を行っている住戸の室内）にいても携帯コントローラー３０を操作することにより前記圧縮空気投入器１６を遠隔操作することができるようになっている。
前記圧縮空気投入器１６には圧縮空気投入ホース３２の一端部が接続されている。この圧縮空気投入ホース３２の他端部は前記連結管部２４の空気取入管部２６に接続されている（図２参照）。従って、前記圧縮空気投入器１６からパルス化して断続的に送り出された圧縮空気は圧縮空気投入ホース３２、空気取入管部２６を介して第２バイパスホース２２に投入されるようになっている。
図１及び図３に示されるように、前記移動式給水管オゾン殺菌洗浄装置１０の管継手３４は上水管１と給水管２の間に配設されているネジ込みタイプの量水器３（図６参照）を取り外した後に上水管１と給水管２の間に取り付けられるようになっている。
図４に示されるように、この管継手３４の管継手本体３６はステンレスパイプで形成されている。従って、管継手本体３６は耐錆性に優れオゾン水等の酸化力の強い物質にも対応できるようになっている。この管継手本体３６の中央内部には仕切壁３８（破線で示す）が設けられ、これにより管継手本体３６を第１管継手部４０と第２管継手部４２に分けている。
この第１管継手部４０には前記第１バイパスホース２０の他端部が接続されるパイプ状の第１バイパスホース接続部４４が形成されている。また、第２管継手部４２には前記第２バイパスホース２２の他端部が接続されるパイプ状の第２バイパスホース接続部４６が形成されている。
前記第１管継手部４０の一端部にはネジ部としての第１ニップル５０が着脱可能に取り付けられ、前記第２管継手部４２の一端部にもネジ部としての第２ニップル５２が着脱可能に取り付けられている。
なお、前記管継手３４の長さ寸法Ｌ１は量水器３の長さ寸法Ｌ２（図６参照）と同じ長さ寸法に形成され、第１ニップル５０の端面の直径寸法と第２ニップル５２の端面の直径寸法は量水器３の両端面の直径寸法と同じ直径寸法に形成されている。
図３に示されるように、この第１ニップル５０は上水管１に取り付けられている上水管側ナット４と連結され、第２ニップル５２は給水管２に取り付けられる給水管側ナット５と連結されるようになっている。
なお、前記第１ニップル５０、第２ニップル５２と前記上水管側ナット４、給水管側ナット５は同一の金属材料で形成されている。
【００１０】
実施例の移動式給水管オゾン殺菌洗浄装置１０の作用を移動式給水管オゾン殺菌洗浄装置１０を使用して集合住宅であるマンションの一住戸の給水管２を殺菌、洗浄する場合を一例にして説明する。
まず、移動式給水管オゾン殺菌洗浄装置１０を殺菌洗浄する給水管２のマンションの一住戸の前に配設する場合は第１バイパスホース２０、第２バイパスホース２２、管継手３４を電気分解式オゾン水生成器１４、圧縮空気投入器１６、コンプレッサー１８が載置されている台車１２に載せて移動式給水管オゾン殺菌洗浄装置１０を殺菌、洗浄する給水管２のマンションの一住戸の前まで移動させる。
移動式給水管オゾン殺菌洗浄装置１０は酸素ボンベ、ミキサー、水タンク等の大型の機材を排除して前記台車１２には電気分解式オゾン水生成器１４、圧縮空気投入器１６、コンプレッサー１８を載置すると共に第１バイパスホース２０、第２バイパスホース２２、管継手３４を台車１２に載せることができるので、マンション内に容易に搬入できると共にマンション内の通路を容易に移動でき、またエレベーターにも簡単に乗せることができる。
従って、移動式給水管オゾン殺菌洗浄装置１０はマンション内の住戸間を容易かつ迅速に移動させることができると共にマンション内の狭いスペースでも配設することができる。この結果、多数の住戸の給水管２の殺菌、洗浄を行うマンションにおいても機動性に優れているので効率よく円滑に各住戸の給水管２の殺菌洗浄作業を行うことができる。しかも、台車１２に電気分解式オゾン水生成器１４、圧縮空気投入器１６、コンプレッサー１８、第１バイパスホース２０、第２バイパスホース２２、管継手３４を台車１２に載せて移動するのでマンションの壁面やエレベーターへの損傷等のリスクを減らすことができる。
さらに、重くて嵩張る酸素ボンベ、ミキサー、水タンク等の大型機材を不要にしたことにより取り扱いが楽になると共に取り扱い上のトラブルを無くすことができ、さらに労力を軽減することができる。
また、移動式給水管オゾン殺菌洗浄装置１０は機材を減少させてコンパクトにしたので製品コストを抑えることができる。
前記移動式給水管オゾン殺菌洗浄装置１０を稼動させる場合は上水管１の上水管バルブ６（図１参照）を閉めて一旦断水させてから、上水管側ナット４、給水管側ナット５を緩めて量水器３を取り外す。
そして、前記管継手３４の第１ニップル５０に上水管側ナット４を締め付け、第２ニップル５２に給水管側ナット５を締め付けることにより上水管１と給水管２との間に前記管継手３４を取り付けることができ、これによりセッティング作業が終了する。従って、移動式給水管オゾン殺菌洗浄装置１０は従来の給水管オゾン殺菌洗浄装置のように第１バイパスホースの先端部を上水管に連結し、第２バイパスホースの先端部を給水管に連結する必要がないのでセッティング作業時間を短縮することができる。
なお、第１ニップル５０、第２ニップル５２と上水管側ナット４、給水管側ナット５は同じ素材の金属で製造されているので、上水管側ナット４、給水管側ナット５を傷めず管継手３４の取り付け取り外し作業を行うことができる。
次に、移動式給水管オゾン殺菌洗浄装置１０の電源をオンにして上水管バルブ６、室内にある給水栓（図示せず）を開くと水道水は上水管１、管継手３４、第１管継手部４０、第１バイパスホース２０を通過して電気分解式オゾン水生成器１４に流れ込む。電気分解式オゾン水生成器１４に流れ込んだ水道水は電気分解式オゾン水生成器１４によってオゾン水に生成される。
前記電気分解式オゾン水生成器１４によって生成されたオゾン水は第２バイパスホース２２を流れるが、この第２バイパスホース２２にはコンプレッサー１８により作られた圧縮空気が圧縮空気投入器１６を介して断続的に投入される。
従って、オゾン水と圧縮空気が一緒になって第２バイパスホース２２、第２管継手部４２、給水管２を流れた後にオゾン水が第２バイパスホース２２、第２管継手部４２、給水管２を流れ、再びオゾン水と圧縮空気が一緒になって第２バイパスホース２２、第２管継手部４２、給水管２を流れた後にオゾン水が第２バイパスホース２２、第２管継手部４２、給水管２を流れる流れが繰り返される。
この結果、前記給水管２にはオゾン水が流れることによってオゾン水に含まれるオゾンによる殺菌洗浄作用によって給水管２の内部の殺菌、洗浄が行われる。
しかも、上述したように移動式給水管オゾン殺菌洗浄装置１０は給水管２にオゾン水と圧縮空気が一緒に流れた後にオゾン水が流れ、再びオゾン水と圧縮空気が一緒に流れた後にオゾン水が流れるという流れが繰り返されるので給水管２の内部に衝撃を与えると共に水圧が変化することにより給水管２の殺菌、洗浄を効率よく効果的に行うことができる。
なお、前記圧縮空気投入器１６によって圧縮空気を投入する場合に圧縮空気投入器１６の制御を携帯コントローラー３０でリモートコントロールできるため、作業者が移動式給水管オゾン殺菌洗浄装置１０から離れている室内等からでも作業でき作業時間を短縮できると共に緊急事態が発生しても室内からオフにできるので安全性が増す。
また、移動式給水管オゾン殺菌洗浄装置１０は機材を減少させてコンパクトにしたので機材の知識や取り扱い経験が比較的浅い初心者でも操作できることが可能になり、従来作業者に行ってきた機材の取り扱い等に関する教育時間や教育コストを抑えることができる。
【００１１】
図５には移動式給水管オゾン殺菌洗浄装置１０の管継手３４を取付手段がユニットタイプの量水器３が取り付けられている上水管１と給水管２の間に取り付けた場合を示している。
上水管１と給水管２の間に取り付けられているユニットタイプの量水器３を取り外す場合は締込部材７を回して量水器３と圧着している可動式圧着口８を左方向にスライドさせて量水器３を取り外す。
次に、管継手３４を配設するが管継手３４の長さ寸法Ｌ１は量水器３の長さ寸法Ｌ２と同じであるので上水管１と給水管２の間に円滑に配設される。
そして、前記締込部材７を回して可動式圧着口８を右方向に移動させて可動式圧着口８を管継手３４の第１ニップル５０に圧着する。これにより給水管２の端面と第２ニップル５２の端面も圧着する。この結果、前記管継手３４を上水管１と給水管２の間に簡単かつ確実に取り付けることができる。
従って、移動式給水管オゾン殺菌洗浄装置１０は上水管１と給水管２の間に取り付けられている量水器３の取付手段がユニットタイプであっても使用することができるので量水器３の取付手段に関係ないため汎用性が広がる。
【００１２】
なお、実施例では集合住宅であるマンション内に移動式給水管オゾン殺菌洗浄装置１０をマンション内に搬入してマンションの各住戸の給水管２を殺菌、洗浄する場合について説明したが、移動式給水管オゾン殺菌洗浄装置１０はビルや戸建等において給水管２を殺菌、洗浄できることは勿論である。
【産業上の利用可能性】
【００１３】
本発明の移動式給水管オゾン殺菌洗浄装置１０は、建物の給水管以外の給水管にも使用することができる。
【符号の説明】
【００１４】
１０    移動式給水管オゾン殺菌洗浄装置
１２    台車
１４    電気分解式オゾン水生成器
１６    圧縮空気投入器
１８    コンプレッサー
２０    第１バイパスホース
２２    第２バイパスホース
２４    連結管部
２６    空気取入管部
２８    空気用連結ホース
３０    携帯コントローラー
３２    圧縮空気投入ホース
３４    管継手
３６    継手パイプ本体
４０    第１管継手部
４２    第２管継手部
４４    第１バイパスホース接続部
４６    第２バイパスホース接続部
５０    第１ニップル
５２    第２ニップル
【図１】
2011098311.tif 000003
【図２】
2011098311.tif 000004
【図３】
2011098311.tif 000005
【図４】
2011098311.tif 000006
【図５】
2011098311.tif 000007
【図６】
2011098311.tif 000008